(57)【要約】【課題】誤った接続端子にバスバーが取り付けられることを抑止することができる。【解決手段】電池モジュール１０は、第１の電池ホルダ３１に保持された第１の電池セルとしての第１の角型電池１１と、第２の電池ホルダ５１に保持された第２の電池セルとしての第２の角型電池１２とが交互に並設されている。第１の電池ホルダ３１の壁部材３９及び第２の電池ホルダ５１の壁部材６３は、角型電池１１，１２の並設方向に隣り合うバスバーＢの間に設けられる。【選択図】図２
2014179306.tif 000002
【特許請求の範囲】
【請求項１】
電池ホルダと、該電池ホルダに保持される電池セルとからなる電池体を複数有する電池モジュールであって、
前記複数の電池体は、並設され、隣り合う電池体の接続端子同士がバスバーで接続されて前記複数の電池体が直列接続され、
前記電池ホルダは、前記複数の電池体の並設方向に隣り合うバスバーの間に位置する部分にバスバーの接続を抑止するための指標を有することを特徴とする電池モジュール。
【請求項２】
前記指標は、視覚で認識可能なことを特徴とする請求項１に記載の電池モジュール。
【請求項３】
前記指標は、前記電池セルの並設方向に隣り合うバスバーの間に設けられた壁部材であることを特徴とする請求項１又は請求項２に記載の電池モジュール。
【請求項４】
前記複数の電池体は、異なる極性の接続端子が隣り合うように並設され、
前記電池ホルダは、第１の電池ホルダと第２の電池ホルダとを有し、
前記電池セルは、第１の電池ホルダに保持される第１の電池セルと前記第２の電池ホルダに保持される第２の電池セルとを有し、
前記第１の電池ホルダと前記第１の電池セルとからなる第１の電池体と、前記第２の電池ホルダと前記第２の電池セルとからなる第２の電池体とが交互に配設され、
前記第１の電池セルは、前記接続端子が設けられる端子面に第１の凸部を有し、
前記第２の電池セルは、前記接続端子が設けられる端子面に前記第１の凸部と前記電池セルの並設方向に対向しない第２の凸部を有し、
前記第１の電池ホルダは、前記第１の電池セルが設けられる側に向かって突出し、かつ、前記第２の電池セルを保持させようとした場合に前記第２の凸部と当接する位置に突出する第１の突起部を有し、
前記第２の電池ホルダは、前記第２の電池セルが設けられる側に向かって突出し、かつ、前記第１の電池セルを保持させようとした場合に前記第１の凸部と当接する位置に突出する第２の突起部を有することを特徴とする請求項１〜請求項３のうちいずれか一項に記載の電池モジュール。
【請求項５】
第１の電池ホルダと該第１の電池ホルダに保持された第１の電池セルとからなる第１の電池体と、第２の電池ホルダと該第２の電池ホルダに保持された第２の電池セルとからなる第２の電池体とが異なる極性の接続端子が隣り合うように交互に配設された電池モジュールであって、
前記第１の電池セルは、前記接続端子が設けられる端子面に第１の凸部を有し、
前記第２の電池セルは、前記接続端子が設けられる端子面に前記第１の凸部と前記電池セルの並設方向に対向しない第２の凸部を有し、
前記第１の電池ホルダは、前記第２の電池セルを保持させようとした場合に前記第２の凸部と当接する位置に第１の突起部を有し、
前記第２の電池ホルダは、前記第１の電池セルを保持させようとした場合に前記第１の凸部と当接する位置に第２の突起部を有することを特徴とする電池モジュール。
【請求項６】
前記第１の凸部及び前記第２の凸部は、前記第１の電池セル及び前記第２の電池セルの注液口に設けられることを特徴とする請求項４又は請求項５に記載の電池モジュール。
【発明の詳細な説明】
【技術分野】
【０００１】
本発明は、複数の電池セルを直列接続した電池モジュールに関する。
【背景技術】
【０００２】
複数の電池セルを直列接続した電子モジュールとしては、例えば、特許文献１に記載の電池モジュールが知られている。
特許文献１に記載の電池モジュールは、電池セルが交互に逆向きにされて配列されている。電池セルの電池蓋には、それぞれ、正・負極の外部端子が取り付けられている。隣り合う電池セルの正極外部端子と負極外部端子とは、バスバーによって接続されている。
【先行技術文献】
【特許文献】
【０００３】
【特許文献１】特開２０１２−２３０７７５号公報
【発明の概要】
【発明が解決しようとする課題】
【０００４】
ところで、正極外部端子と負極外部端子をバスバーで接続するときに、誤った位置の正極外部端子と負極外部端子とを接続してしまうと、短絡が起こり、電池セルの故障の原因となる。
【０００５】
本発明は、このような従来技術の問題点に鑑みてなされたものであり、その目的は、誤った接続端子にバスバーが取り付けられることを抑止することができる電池モジュールを提供することにある。
【課題を解決するための手段】
【０００６】
上記課題を解決する電池モジュールは、電池ホルダと、該電池ホルダに保持される電池セルとからなる電池体を複数有する電池モジュールであって、前記複数の電池体は、並設され、隣り合う電池体の接続端子同士がバスバーで接続されて前記複数の電池体が直列接続され、前記電池ホルダは、前記複数の電池体の並設方向に隣り合うバスバーの間に位置する部分にバスバーの接続を抑止するための指標を有することを要旨とする。
【０００７】
これによれば、隣り合う電池体の接続端子をバスバーで接続するときには、隣り合う接続端子のうち、間に指標が設けられている接続端子同士のバスバーによる接続を回避することができる。この結果、間に指標が設けられていない接続端子同士がバスバーによって接続されるため、バスバーが誤った接続端子同士を接続し、短絡が発生することが抑制される。
【０００８】
上記電池モジュールについて、前記指標は、視覚で認識可能なことが好ましい。
これによれば、バスバーの正しい取付位置を容易に判断することができる。
上記電池モジュールについて、前記指標は、前記電池セルの並設方向に隣り合うバスバーの間に設けられた壁部材であることが好ましい。
【０００９】
これによれば、間に指標が設けられた接続端子同士をバスバーによって接続しようとしても、壁部材によってバスバーの接続が阻害される。このため、バスバーが誤った接続端子同士を接続することが更に好適に抑制される。
【００１０】
上記電池モジュールについて、前記複数の電池体は、異なる極性の接続端子が隣り合うように並設され、前記電池ホルダは、第１の電池ホルダと第２の電池ホルダとを有し、前記電池セルは、第１の電池ホルダに保持される第１の電池セルと前記第２の電池ホルダに保持される第２の電池セルとを有し、前記第１の電池ホルダと前記第１の電池セルとからなる第１の電池体と、前記第２の電池ホルダと前記第２の電池セルとからなる第２の電池体とが交互に配設され、前記第１の電池セルは、前記接続端子が設けられる端子面に第１の凸部を有し、前記第２の電池セルは、前記接続端子が設けられる端子面に前記第１の凸部と前記電池セルの並設方向に対向しない第２の凸部を有し、前記第１の電池ホルダは、前記第１の電池セルが設けられる側に向かって突出し、かつ、前記第２の電池セルを保持させようとした場合に前記第２の凸部と当接する位置に突出する第１の突起部を有し、前記第２の電池ホルダは、前記第２の電池セルが設けられる側に向かって突出し、かつ、前記第１の電池セルを保持させようとした場合に前記第１の凸部と当接する位置に突出する第２の突起部を有することが好ましい。
【００１１】
これによれば、第１の電池ホルダに第２の電池セルを保持させようとすると、第２の電池セルの第２の凸部と第１の電池ホルダの第１の突起部が当接する。このため、第１の電池ホルダは、第２の電池セルを保持することができず、第１の電池セルのみを保持することができる。同様に、第２の電池ホルダに、第１の電池セルを保持させようとすると、第１の電池セルの第１の凸部と第２の電池ホルダの第２の突起部が当接する。このため、第１の電池セルと第２の電池セルを組み付けるときに、第１の電池セルの接続端子と、第１の電池セルの接続端子と隣り合う第２の電池セルの接続端子とが同一極性になることが抑制される。このため、短絡が発生することが抑制される。
【００１２】
上記課題を解決する電池モジュールは、第１の電池ホルダと該第１の電池ホルダに保持された第１の電池セルとからなる第１の電池体と、第２の電池ホルダと該第２の電池ホルダに保持された第２の電池セルとからなる第２の電池体とが異なる極性の接続端子が隣り合うように交互に配設された電池モジュールであって、前記第１の電池セルは、前記接続端子が設けられる端子面に第１の凸部を有し、前記第２の電池セルは、前記接続端子が設けられる端子面に前記第１の凸部と前記電池セルの並設方向に対向しない第２の凸部を有し、前記第１の電池ホルダは、前記第２の電池セルを保持させようとした場合に前記第２の凸部と当接する位置に第１の突起部を有し、前記第２の電池ホルダは、前記第１の電池セルを保持させようとした場合に前記第１の凸部と当接する位置に第２の突起部を有することを要旨とする。
【００１３】
これによれば、第１の電池ホルダに第２の電池セルを保持させようとすると、第２の電池セルの第２の凸部と第１の電池ホルダの第１の突起部が当接する。このため、第１の電池ホルダは、第２の電池セルを保持することができず、第１の電池セルのみを保持することができる。同様に、第２の電池ホルダに、第１の電池セルを保持させようとすると、第１の電池セルの第１の凸部と第２の電池ホルダの第２の突起部が当接する。このため、第１の電池セルと第２の電池セルを組み付けるときに、第１の電池セルの接続端子と、第１の電池セルの接続端子と隣り合う第２の電池セルの接続端子とが同一極性になることが抑制される。同一極性の接続端子同士をバスバーで接続すると、短絡の原因となる。すなわち、同一極性の接続端子同士が電池セルの並設方向に隣り合っている場合、電池セルの並設方向に隣り合う接続端子同士を接続すると、バスバーが誤った位置に取り付けられることになる。同一極性の接続端子が電池セルの並設方向に隣り合うことを抑制することで、バスバーが誤った接続端子に取り付けられることが抑制される。
【００１４】
上記電池モジュールについて前記第１の凸部及び前記第２の凸部は、前記第１の電池セル及び前記第２の電池セルの注液口に設けられることが好ましい。
これによれば、注液口に設けられる部材を第１の凸部及び第２の凸部として兼用することができる。このため、第１の電池セル及び第２の電池セルに別途第１の凸部及び第２の凸部を設ける必要がない。
【発明の効果】
【００１５】
本発明によれば、誤った接続端子にバスバーが取り付けられることを抑止することができる。
【図面の簡単な説明】
【００１６】
【図１】実施形態の電池モジュールを示す斜視図。
【図２】実施形態の電池モジュールを示す平面図。
【図３】実施形態の角型電池を示す斜視図。
【図４】実施形態の角型電池及び電池ホルダを示す斜視図。
【図５】（ａ）及び（ｂ）は実施形態の第１の電池ホルダを示す斜視図。
【図６】（ａ）及び（ｂ）は実施形態の第２の電池ホルダを示す斜視図。
【図７】実施形態の壁部材と接続端子との関係を示す図。
【図８】電池モジュールの一部を拡大して示す平面図。
【図９】（ａ）は別例の第１の電池ホルダを示す斜視図、（ｂ）は別例の電池モジュールを示す平面図。
【発明を実施するための形態】
【００１７】
以下、電池モジュールの一実施形態について説明する。
図１及び図２に示すように、電池モジュール１０は、第１の電池体１と第２の電池体２とが交互に並設されている。第１の電池体１は、第１の電池ホルダ３１と、第１の電池ホルダ３１に保持された第１の電池セルとしての第１の角型電池１１とからなる。第２の電池体２は、第２の電池ホルダ５１と、第２の電池ホルダ５１に保持された第２の電池セルとしての第２の角型電池１２とからなる。第１の角型電池１１と第２の角型電池１２は、同一の角型電池であるが、配置向きが逆向きとなっている。すなわち、第１の角型電池１１と第２の角型電池１２を交互に配設したときに、第１の角型電池１１の正極端子１３と第２の角型電池１２の正極端子１３が異なる方向に位置し、第１の角型電池１１の負極端子１４と第２の角型電池１２の負極端子１４が異なる方向に位置する。これにより、第１の角型電池１１（第１の電池体１）の正極端子１３と第２の角型電池１２（第２の電池体２）の負極端子１４は、角型電池１１，１２の並設方向に隣り合う。また、第１の角型電池１１の負極端子１４と第２の角型電池１２の正極端子１３が角型電池１１，１２の並設方向に隣り合う。隣り合う角型電池１１，１２の正極端子１３と負極端子１４は、板状のバスバーＢによって接続され、これにより角型電池１１，１２は直列接続されている。
【００１８】
電池モジュール１０において、角型電池１１，１２の並設方向の両端には、板状のエンドプレート７１，７２が設けられている。角型電池１１，１２は、エンドプレート７１，７２によって挟持されている。
【００１９】
図３に示すように、角型電池１１，１２は、ケース１５の内部に電極１９が収容されている。ケース１５は、電極１９を収容する有底四角箱状のケース本体１６と、ケース本体１６の開口部を閉塞する矩形平板状の蓋部材１７とを有している。蓋部材１７の長手方向第１端部１７ａには、接続端子としての正極端子１３が設けられている。蓋部材１７の長手方向第２端部１７ｂには、接続端子としての負極端子１４が設けられている。正極端子１３及び負極端子１４は、ケース１５の外部に向けて突出している。本実施形態では、蓋部材１７の厚み方向の面（接続端子が突出している面）が端子面となる。蓋部材１７の長手方向中央には、破断式の開放弁１８が設けられている。蓋部材１７の長手方向において、開放弁１８よりも若干正極端子１３寄りには、ケース１５の内部に電解液を注入するための注液部２１が設けられている。注液部２１は、ケース１５の内部とケース１５の外部とを連通させる注液口２２を有する注液口部２３と、注液口部２３の注液口２２を閉塞する封止栓２４とを有している。注液部２１は、蓋部材１７から蓋部材１７の厚み方向にケース１５外に向けて突出している。
【００２０】
図５（ａ）及び（ｂ）に示すように、第１の電池ホルダ３１は矩形平板状の第１の被覆部３３を有している。第１の被覆部３３の長手方向両端には、第１の被覆部３３の厚み方向に延びる矩形平板状の第２の被覆部３４及び第３の被覆部３５が設けられている。被覆部３３，３４，３５に囲まれる領域は、第１の角型電池１１が収容される収容部Ｓ１となる。第２の被覆部３４の長手方向第１端部３４ａ（第１の被覆部３３が設けられる端部とは反対側の端部）と、第３の被覆部３５の長手方向第１端部３５ａ（第１の被覆部３３が設けられる端部とは反対側の端部）には、各被覆部３４，３５の短手方向第１端部３４ｂ、３５ｂの間で延びる矩形平板状の第４の被覆部３６が設けられている。第４の被覆部３６は、厚み方向が被覆部３４，３５の短手方向と一致し、長手方向が第２の被覆部３４と第３の被覆部３５の対向方向に一致する。そして、第４の被覆部３６の厚み方向及び長手方向に直交する方向が、第４の被覆部３６の短手方向となる。
【００２１】
また、第４の被覆部３６の長手方向両端における第４の被覆部３６の短手方向の一端面上には、Ｕ字状をなすとともに、第４の被覆部３６の厚み方向に開口する端子収容部３８，４２がそれぞれ設けられており、各端子収容部３８，４２は各被覆部３４，３５に連設されている。各端子収容部３８，４２において、第４の被覆部３６に接合される面と反対側の面からは、壁部材３９，４３が突設されている。壁部材４３には、切欠４４が設けられている。一方、壁部材３９には、切欠が設けられていない。
【００２２】
第４の被覆部３６の短手方向の一端面上には、端子収容部３８と隣り合って四角柱状の位置決め部４０が位置決め部４０の軸が被覆部３４，３５の短手方向に延びるように設けられている。位置決め部４０は、第４の被覆部３６から収容部Ｓ１側に延設されており、軸方向の一方の端面（収容部Ｓ１側の端面）が平坦面をなしている。また、位置決め部４０は、軸方向の他方の端面に凹部４０ａを有する。第４の被覆部３６の短手方向の一端面上には、位置決め部４０と隣り合って矩形平板状の第１の突起部４１が設けられている。第１の突起部４１は、収容部Ｓ１側に突出している。収容部Ｓ１には、第１の角型電池１１が収容されるため、第１の突起部４１は、第１の角型電池１１が設けられる側に向かって突出している。
【００２３】
第４の被覆部３６の短手方向の一端面上には、端子収容部４２と隣り合って四角柱状の位置決め部４５が位置決め部４５の軸が被覆部３４，３５の短手方向に延びるように設けられている。位置決め部４５は、第４の被覆部３６から収容部Ｓ１側に延設されており、軸方向の一方の端面（収容部Ｓ１側の端面）に凸部４５ａが設けられている。また、位置決め部４５は、軸方向の他方の端面が平坦面をなしている。
【００２４】
第２の被覆部３４と第３の被覆部３５の長手方向第１端部３４ａ，３５ａには、各被覆部３４，３５の延びる方向に矩形平板状の突出部３７が連設されている。第２の被覆部３４と第３の被覆部３５の長手方向第２端部３４ｃ，３５ｃには、四角柱状の脚部３２が設けられている。脚部３２の軸は、被覆部３４，３５の短手方向に延びている。脚部３２には、軸方向の一方の端面（位置決め部４０，４５の軸方向の一方の端面と同一方向の面）に凸部３２ａが設けられ、軸方向の他方の端面に凹部３２ｂが設けられている。
【００２５】
図６（ａ）及び（ｂ）に示すように、第２の電池ホルダ５１は、矩形平板状の第１の被覆部５３を有している。第１の被覆部５３の長手方向両端には、第１の被覆部５３の厚み方向に延びる矩形平板状の第２の被覆部５４及び第３の被覆部５５が設けられている。被覆部５３，５４，５５に囲まれる領域は、第２の角型電池１２が収容される収容部Ｓ２となる。第２の被覆部５４の長手方向第１端部５４ａ（第１の被覆部５３が設けられる端部とは反対側の端部）と、第３の被覆部５５の長手方向第１端部５５ａ（第１の被覆部５３が設けられる端部とは反対側の端部）には、各被覆部５４，５５の短手方向第１端部５４ｂ、５５ｂの間で延びる矩形平板状の第４の被覆部５６が設けられている。第４の被覆部５６は、厚み方向が被覆部５４，５５の短手方向と一致し、長手方向が第２の被覆部５４と第３の被覆部５５の対向方向に一致する。そして、第４の被覆部５６の厚み方向及び長手方向に直交する方向が、第４の被覆部５６の短手方向となる。
【００２６】
また、第４の被覆部５６の長手方向両端における第４の被覆部５６の短手方向の一端面上には、Ｕ字状をなすとともに、第４の被覆部５６の厚み方向に開口する端子収容部５８，６２がそれぞれ設けられており、各端子収容部５８，６２は各被覆部５４，５５に連設されている。各端子収容部５８，６２において、第４の被覆部５６に接合される面と反対側の面からは、壁部材５９，６３が突設されている。壁部材５９には切欠６０が設けられている。一方、壁部材６３には切欠が設けられていない。切欠４４，６０は、同一極性の接続端子（本実施形態では負極端子１４）を収容する端子収容部４２，５８に設けられている。
【００２７】
第４の被覆部５６の短手方向の一端面上には、端子収容部５８と隣り合って四角柱状の位置決め部６１が位置決め部６１の軸が被覆部５４，５５の短手方向に延びるように設けられている。位置決め部６１は、第４の被覆部５６から収容部Ｓ２側に延設されており、軸方向の一方の端面（収容部Ｓ２側の端面）に凸部６１ａが設けられている。また、位置決め部６１は、軸方向の他方の端面が平坦面をなしている。
【００２８】
第４の被覆部５６の短手方向の一端面上には、端子収容部６２と隣り合って四角柱状の位置決め部６４が位置決め部６４の軸が被覆部５４，５５の短手方向に延びるように設けられている。位置決め部６４は、第４の被覆部５６から収容部Ｓ２側に延設されており、軸方向の一方の端面（収容部Ｓ２側の端面）が平坦面をなしている。また、位置決め部６４は、軸方向の他方の端面に凹部６４ａが設けられている。第４の被覆部５６の短手方向の一端面上には、位置決め部６４と隣り合って矩形平板状の第２の突起部６５が設けられている。第２の突起部６５は、収容部Ｓ２側に突出している。収容部Ｓ２には、第２の角型電池１２が収容されるため、第２の突起部６５は、第２の角型電池１２が設けられる側に突出している。
【００２９】
第２の被覆部５４と第３の被覆部５５の長手方向第１端部５４ａ，５５ａには、各被覆部５４，５５の延びる方向に矩形平板状の突出部５７が連設されている。第２の被覆部５４と第３の被覆部５５の長手方向第２端部５４ｃ，５５ｃには、四角柱状の脚部５２が設けられている。脚部５２の軸は、被覆部５４，５５の短手方向に延びている。脚部５２には、軸方向の一方の端面（位置決め部６１，６４の軸方向の一方の端面と同一方向の面）に凸部５２ａが設けられ、軸方向の他方の端面に凹部５２ｂが設けられている。
【００３０】
第１の電池ホルダ３１の収容部Ｓ１には、第１の角型電池１１が収容される。具体的にいえば、第１の被覆部３３が第１の角型電池１１の高さ方向の一面（正極端子１３及び負極端子１４が設けられる面とは反対側の面）を覆い、第２の被覆部３４及び第３の被覆部３５は、それぞれ、第１の角型電池１１の幅方向の面を覆う。また、第１の角型電池１１の正極端子１３は、端子収容部３８に収容され、負極端子１４は端子収容部４２に収容される。これにより、第１の電池ホルダ３１及び第１の電池ホルダ３１に保持された第１の角型電池１１によって第１の電池体１が構成される。
【００３１】
また、第２の電池ホルダ５１の収容部Ｓ２には、第２の角型電池１２が収容される。具体的にいえば、第１の被覆部５３が第２の角型電池１２の高さ方向の一面（正極端子１３及び負極端子１４が設けられる面とは反対側の面）を覆い、第２の被覆部５４及び第３の被覆部５５は、それぞれ、第２の角型電池１２の幅方向の面を覆う。また、第２の角型電池１２の正極端子１３は、端子収容部６２に収容され、負極端子１４は、端子収容部５８に収容される。これにより、第２の電池ホルダ５１及び第２の電池ホルダ５１に保持された第２の角型電池１２によって第２の電池体２が構成される。
【００３２】
図２に示すように、並設された第１の電池体１と第２の電池体２は、バスバーＢによって直列接続される。バスバーＢは、矩形平板状の板部材の短手方向の両端部に、切欠部Ｂ１を有する。バスバーＢは、バスバーＢを貫通したボルト８１が正極端子１３及び負極端子１４に螺合されることで角型電池１１，１２に固定されている。バスバーＢは、切欠４４，６０を介して隣り合う端子収容部３８，４２，５８，６２の間で延びている。バスバーＢの切欠部Ｂ１には、端子収容部４２，５８から突設された壁部材４３，５９が入り込んでいる。
【００３３】
第１の電池体１における第１の電池ホルダ３１の位置決め部４５に設けられた凸部４５ａは、第２の電池体２における第２の電池ホルダ５１の位置決め部６４に設けられた凹部６４ａに挿入されている。第１の電池体１における第１の電池ホルダ３１に設けられた凸部３２ａは、第２の電池体２における第２の電池ホルダ５１の凹部５２ｂに挿入されている。
【００３４】
また、第２の電池体２における第２の電池ホルダ５１の位置決め部６１に設けられた凸部６１ａは、第１の電池体１における第１の電池ホルダ３１の位置決め部４０に設けられた凹部４０ａに挿入されている。第２の電池体２における第２の電池ホルダ５１に設けられた各凸部５２ａは、第１の電池体１における第１の電池ホルダ３１に設けられた各凹部３２ｂに挿入されている。
【００３５】
次に、壁部材３９，４３，５９，６３について図７にしたがって説明する。図７は、並設された第１の電池体１と第２の電池体２における各角型電池１１，１２の高さ方向一方（正極端子１３及び負極端子１４が設けられる側）を拡大して示す断面図である。
【００３６】
図７に示すように、第１の電池ホルダ３１及び第２の電池ホルダ５１に角型電池１１，１２が保持された状態で、壁部材３９，６３は、各角型電池１１，１２の正極端子１３及び負極端子１４よりも角型電池１１，１２の高さ方向に突出している。
【００３７】
次に、第１の突起部４１及び第２の突起部６５について、図８にしたがって説明する。図８は、並設された第１の電池体１と第２の電池体２を拡大して示す平面図である。
図８に示すように、第１の突起部４１の長手方向の長さｄ１（突出量）は、第２の角型電池１２における角型電池１２の厚み方向の縁部から注液部２１までの最短距離ｄ２よりも長い。また、第２の突起部６５の長手方向の長さｄ３（突出量）は、第１の角型電池１１における角型電池１１の厚み方向の縁部から注液部２１までの最短距離ｄ４よりも長い。
【００３８】
図２に示すように、第１の電池ホルダ３１の壁部材３９及び第２の電池ホルダ５１の壁部材６３は、角型電池１１，１２の並設方向に隣り合うバスバーＢの間に設けられる。また、バスバーＢは、壁部材４３，５９に設けられた切欠４４，６０を介して隣り合う正極端子１３と負極端子１４を接続している。
【００３９】
また、第１の電池ホルダ３１の第１の突起部４１は、第２の角型電池１２の注液部２１と角型電池１１，１２の並設方向に対向する。また、第２の電池ホルダ５１の第２の突起部６５は、第１の角型電池１１の注液部２１と角型電池１１，１２の並設方向に対向する。すなわち、各第１の突起部４１を結ぶ直線Ｌ１上に、第２の角型電池１２の注液部２１が位置し、各第２の突起部６５を結ぶ直線Ｌ２上に第１の角型電池１１の注液部２１が位置する。したがって、第１の突起部４１は、第１の電池ホルダ３１に第２の角型電池１２を保持させようとした場合に第２の角型電池１２の注液部２１と当接する位置に突出している。また、第２の突起部６５は、第２の電池ホルダ５１に第１の角型電池１１を保持させようとした場合に第１の角型電池１１の注液部２１と当接する位置に突出している。第１の角型電池１１の注液口２２に設けられる封止栓２４が第１の凸部となり、第２の角型電池１２の注液口２２に設けられる封止栓２４が第２の凸部となる。
【００４０】
次に、本実施形態の電池モジュール１０の作用について説明する。
角型電池１１，１２の並設方向に隣り合うバスバーＢの間には、指標となる壁部材３９，６３（切欠４４，６０が設けられない壁部材）が設けられている。
【００４１】
バスバーＢは、端子収容部４２，６２に設けられた切欠４４，６０を介して隣り合う正極端子１３と負極端子１４を接続している。すなわち、切欠４４，６０が設けられた部分がバスバーＢの接続を許容する指標として機能していると捉えることもできる。
【００４２】
バスバーＢを取り付けるときには、切欠４４，６０が目印となって、バスバーＢの正しい取り付け位置を判断することができる。また、壁部材３９，６３を挟んで配置される端子同士をバスバーＢで接続しようとしても、壁部材３９，６３によってバスバーＢが取り付けられることが阻害されるため、バスバーＢが誤った位置に取り付けられることが抑制される。
【００４３】
また、図４に示すように、第１の電池ホルダ３１に第２の角型電池１２、すなわち、接続端子の配置が逆向きの角型電池を収容しようとすると、注液部２１と第１の突起部４１が当接して、第１の電池ホルダ３１に第２の角型電池１２が収容されることが抑制されている。同様に、第２の電池ホルダ５１に第１の角型電池１１が収容されることも抑制されている。なお、ここでいう「当接」とは、第２の角型電池１２が第１の電池ホルダ３１に保持されていない状態で注液部２１と第１の突起部４１が当接していることを示す。
【００４４】
また、電池モジュール１０の組み付けの際には、第１の角型電池１１を保持した第１の電池ホルダ３１（第１の電池体１）と第２の角型電池１２を保持した第２の電池ホルダ５１（第２の電池体２）を重ね合わせていく。このとき、第１の電池ホルダ３１同士、あるいは、第２の電池ホルダ５１同士を連続して重ね合わせると、同一極性の接続端子が角型電池１１，１２の並設方向に隣り合い、短絡の原因となる。以下、詳細に説明する。
【００４５】
一般に、電池セルを直列接続して電池モジュールを構成する場合、配線抵抗を小さくするために、異なる極性の接続端子同士が電池セルの並設方向に隣り合うように電池セルを並設する。このとき、誤って同一極性の接続端子同士が電池セルの並設方向に隣り合って配置されると、隣り合う接続端子同士を接続したときに、短絡が生じ、電池セルの故障の原因となる。このため、電池セルを並設するときに、異なる極性の接続端子が電池セルの並設方向に隣り合うことが望まれている。
【００４６】
本実施形態では、第１の電池ホルダ３１に第２の角型電池１２が収容されることが抑制され、第２の電池ホルダ５１に第１の角型電池１１が収容されることが抑制されている。このため、第１の電池体１と第２の電池体２を交互に並設したときに、同一極性の接続端子が角型電池１１，１２の並設方向に隣り合い、異なる極性の接続端子が隣り合うことが抑制されている。
【００４７】
また、本実施形態では、第１の電池ホルダ３１と第２の電池ホルダ５１に設けられた位置決め部４０，４５，６１，６４によって、第１の電池ホルダ３１同士、あるいは、第２の電池ホルダ５１同士が連続して重ね合わされることが抑制されている。具体的にいえば、第１の電池ホルダ３１同士を重ねあわせようとすると、第１の電池ホルダ３１の位置決め部４５の長手方向の一方に設けられた凸部４５ａが第１の電池ホルダ３１の位置決め部４５の長手方向の他方の平坦面に当接して、第１の電池ホルダ３１同士が重ね合わされることが抑制されている。また、第２の電池ホルダ５１同士を重ね合わせようとすると、第２の電池ホルダ５１の位置決め部６１の長手方向の一方に設けられた凸部６１ａが、第２の電池ホルダ５１の位置決め部６１の長手方向の他方に設けられた平坦面に当接して、第２の電池ホルダ５１同士が重ね合わされることが抑制されている。
【００４８】
したがって、上記実施形態によれば以下のような効果を得ることができる。
（１）角型電池１１，１２の並設方向に隣り合うバスバーＢの間には、壁部材３９，６３が設けられている。このため、バスバーＢを取り付けるときには、この壁部材３９，６３を視覚で認識可能な指標としてバスバーＢを取り付けることができ、バスバーＢが誤った位置に取り付けられることが抑制されている。
【００４９】
（２）指標として壁部材３９，６３を設けているため、バスバーＢを誤った位置に取り付けようとした場合にも、この壁部材３９，６３によってバスバーＢの取り付けが抑制される。
【００５０】
（３）第１の電池ホルダ３１には、第２の角型電池１２の注液部２１に当接する第１の突起部４１が設けられている。第２の電池ホルダ５１には、第１の角型電池１１の注液部２１に当接する第２の突起部６５が設けられている。このため、角型電池１１，１２が誤った電池ホルダに保持されることが抑制される。したがって、同一極性の接続端子同士が接続されにくく、短絡が抑制されている。
【００５１】
（４）注液部２１の封止栓２４を第１の凸部及び第２の凸部として兼用している。このため、第１の角型電池１１及び第２の角型電池１２に第１の凸部及び第２の凸部を別途設ける必要がない。
【００５２】
なお、実施形態は以下のように変更してもよい。
○  図９（ａ）に示すように、第１の突起部９１は、第１の電池ホルダ３１の位置決め部４０に設けられていてもよい。第１の突起部９１は、位置決め部４０から位置決め部４５に向けて延びている（位置決め部位４０から第１の角型電池１１の高さ方向の面に沿って第１の角型電池１１の幅方向に延びている）。第１の突起部９１は、細長板状をなしている。第１の突起部９１は、位置決め部４０の軸方向の端面のうち、平坦面をなす端面９３（凹部４０ａが設けられない側の端面）と連設されている。
【００５３】
図９（ｂ）に示すように、第２の電池ホルダ５１の位置決め部６４にも第１の電池ホルダ３１と同様に、第２の突起部９２が設けられている。第２の突起部９２は、位置決め部６４から位置決め部６１に向けて延びている。第２の突起部９２は細長板状をなしている。
【００５４】
例えば、実施形態に記載の第１の電池ホルダ３１や第２の電池ホルダ５１のように、第４の被覆部３６，５６に第１の突起部４１や第２の突起部６５を設ける場合、第４の被覆部３６，５６から注液部２１（凸部）に向けて突起部４１，６５を延設する必要がある。このとき、突起部４１，６５が開放弁１８を覆う場合があり、開放弁１８の開放を阻害するおそれがある。
【００５５】
図９に記載の電池ホルダ３１，５１のように、突起部９１，９２を、収容部Ｓ１，Ｓ２に角型電池１１，１２を挿入するときの入口側（第２の被覆部３４，５４及び第３の被覆部３５，５５の短手方向において第４の被覆部３６，５６が設けられない側）に設けることで、突起部９１，９２を注液部２１に向けて（角型電池１１，１２の厚み方向に向けて）延設する必要がない。したがって、突起部が開放弁に干渉することを抑制することができる。
【００５６】
なお、突起部９１，９２は、位置決め部４０，６４以外に設けられていてもよい。例えば、位置決め部４０，６４が設けられない場合には、端子収容部３８，５８に設けられていてもよいし、第２の被覆部３４，５４に設けられていてもよい。
【００５７】
○  実施形態において、壁部材３９，６３、すなわち、指標が設けられていなくてもよい。この場合であっても、突起部４１，６５によって角型電池１１，１２の並設方向に隣り合う接続端子の極性が同一極性になることを抑制することで、誤った接続端子にバスバーＢが取り付けられることが抑制される。
【００５８】
○  実施形態において、指標として壁部材を用いたが、これに限られない。例えば、角型電池の並設方向に隣り合うバスバーＢの間に、色の異なる部分や、目印などを指標として設けて、誤った位置にバスバーＢが取り付けられることを抑制してもよい。
【００５９】
○  実施形態において、第１の電池ホルダ３１及び第２の電池ホルダ５１の第１の突起部４１及び第２の突起部６５は設けられていなくてもよい。この場合、突起部以外の方法で誤った角型電池が保持されることを抑制することが好ましい。
【００６０】
○  実施形態において、注液部２１を第１の凸部及び第２の凸部として用いず、蓋部材１７から突出する突起を別途設けてもよい。
○  実施形態において、第１の電池セル及び第２の電池セルとして、円筒形電池や、ラミネート型の電池を用いてもよい。この場合、電池ホルダの形状は電池セルの形状に合わせて変更する。
【００６１】
○  実施形態において、位置決め部４０，４５，６１，６４に設けられた凸部及び凹部の組み合わせは、第１の電池ホルダ３１同士の重なり合い、あるいは、第２の電池ホルダ５１同士の重なり合いを抑制できれば適宜変更してもよい。
【００６２】
○  実施形態において、第１の電池ホルダ３１と第２の電池ホルダ５１の色を変更することで、第１の電池ホルダ３１、あるいは、第２の電池ホルダ５１が連続して設けられることを抑止してもよい。
【００６３】
○  実施形態において、角型電池１１，１２の正極端子１３と負極端子１４の形状を変更するとともに、電池ホルダ３１，５１の端子収容部３８，４２，５８，６２の形状を変更してもよい。第１の電池ホルダ３１の端子収容部３８，４２に第２の角型電池１２を保持させようとすると、正極端子１３と負極端子１４が端子収容部３８，４２に収容できないように形状を定めることで、第１の電池ホルダ３１に第２の角型電池１２が保持されることが抑制される。同様に、第２の電池ホルダ５１に第１の角型電池１１が保持されることが抑制される。
【００６４】
○  実施形態において、板状以外のバスバーを用いてもよい。この場合、誤った位置にバスバーを取り付けようとすると、壁部材３９，６３にバスバーが当接するように壁部材３９，６３を設けることが好ましい。
【００６５】
○  実施形態において、第１の電池ホルダ３１及び第２の電池ホルダ５１は、角型電池１１，１２の五つの面を被覆する形状としているが、これに限られない。例えば、角型電池１１，１２の厚み方向の面のみが被覆されていてもよく、角型電池１１，１２を厚み方向から挟み込む板状の部材であってもよい。
【００６６】
○  実施形態において、同一極性の接続端子が隣り合うように角型電池１１，１２が並設されていてもよい。この場合、隣り合う角型電池１１，１２の正極端子１３と負極端子１４（異なる極性の接続端子）がバスバーＢで接続される。また、この場合には、電池ホルダ３１，５１にバスバーＢをガイドする壁部材を設けてもよい。壁部材は、各バスバーの間に設けられ、角型電池１１の正極端子１３（あるいは負極端子１４）から、隣り合う角型電池１２の負極端子１４（あるいは正極端子１３）に向けて延びる。バスバーを取り付けるときには、この壁部材に沿うようにバスバーＢを設けることで、壁部材が指標となって、バスバーＢが誤った位置に配置されることが抑制される。
【００６７】
○  実施形態において、指標として、視覚で認識可能ではないものを用いてもよい。例えば、電池ホルダ３１，５１における電池体１，２の並設方向に隣り合うバスバーＢの間に位置する部分に、視覚で認識できない程度の起伏などを設けてもよい。そして、触れたときに起伏が設けられていることを判断できれば、起伏が指標として機能し、バスバーＢの正しい取付位置を判断することができる。
【００６８】
次に、上記実施形態及び別例から把握できる技術的思想について以下に追記する。
（イ）前記電池体は、同一の極性の接続端子が隣り合うように並設され、隣り合う前記電池体の異なる極性の接続端子同士が前記バスバーによって接続されることを特徴とする請求項１〜請求項３のうちいずれか一項に記載の電池モジュール。
【００６９】
（ロ）前記指標は、隣り合う前記電池体の異なる接続端子を接続するバスバーをガイドする壁部材であり、前記壁部材に沿って前記バスバーが設けられることを特徴とする技術的思想（イ）に記載の電池モジュール。
【符号の説明】
【００７０】
Ｂ…バスバー、１，２…電池体、１０…電池モジュール、１１，１２…角型電池、１３…正極端子、１４…負極端子、２１…注液部、３１，５１…電池ホルダ、３９，６３…壁部材、４１，９１…第１の突起部、６５，９２…第２の突起部。
【図１】
2014179306.tif 000003
【図２】
2014179306.tif 000004
【図３】
2014179306.tif 000005
【図４】
2014179306.tif 000006
【図５】
2014179306.tif 000007
【図６】
2014179306.tif 000008
【図７】
2014179306.tif 000009
【図８】
2014179306.tif 000010
【図９】
2014179306.tif 000011
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
電池ホルダと、該電池ホルダに保持される電池セルとからなる電池体を複数有する電池モジュールであって、
前記複数の電池体は、並設され、隣り合う電池体の接続端子同士がバスバーで接続されて前記複数の電池体が直列接続され、
前記電池ホルダは、第１の電池ホルダと第２の電池ホルダとを有し、
前記電池セルは、前記第１の電池ホルダに保持される第１の電池セルと前記第２の電池ホルダに保持される第２の電池セルとを有し、
前記第１の電池ホルダと前記第１の電池セルとからなる第１の電池体と、前記第２の電池ホルダと前記第２の電池セルとからなる第２の電池体とが、前記第１の電池ホルダと前記第２の電池ホルダとが同じ向きとなるように交互に配設され、前記第１の電池ホルダ及び第２の電池ホルダは、前記複数の電池体の並設方向に隣り合うバスバーの間に位置する部分にバスバーの接続を抑止するための指標を有することを特徴とする電池モジュール。
【請求項２】
前記指標は、視覚で認識可能なことを特徴とする請求項１に記載の電池モジュール。
【請求項３】
前記指標は、前記電池セルの並設方向に隣り合うバスバーの間に設けられた壁部材であることを特徴とする請求項１又は請求項２に記載の電池モジュール。
【請求項４】
前記複数の電池体は、異なる極性の接続端子が隣り合うように並設され、
前記電池ホルダは、第１の電池ホルダと第２の電池ホルダとを有し、
前記電池セルは、第１の電池ホルダに保持される第１の電池セルと前記第２の電池ホルダに保持される第２の電池セルとを有し、
前記第１の電池ホルダと前記第１の電池セルとからなる第１の電池体と、前記第２の電池ホルダと前記第２の電池セルとからなる第２の電池体とが交互に配設され、
前記第１の電池セルは、前記接続端子が設けられる端子面に第１の凸部を有し、
前記第２の電池セルは、前記接続端子が設けられる端子面に前記第１の凸部と前記電池セルの並設方向に対向しない第２の凸部を有し、
前記第１の電池ホルダは、前記第１の電池セルが設けられる側に向かって突出し、かつ、前記第２の電池セルを保持させようとした場合に前記第２の凸部と当接して前記第２の電池セルの収容を抑制する位置に突出する第１の突起部を有し、
前記第２の電池ホルダは、前記第２の電池セルが設けられる側に向かって突出し、かつ、前記第１の電池セルを保持させようとした場合に前記第１の凸部と当接して前記第１の電池セルの収容を抑制する位置に突出する第２の突起部を有することを特徴とする請求項１〜請求項３のうちいずれか一項に記載の電池モジュール。
【請求項５】
第１の電池ホルダと該第１の電池ホルダに保持された第１の電池セルとからなる第１の電池体と、第２の電池ホルダと該第２の電池ホルダに保持された第２の電池セルとからなる第２の電池体とが異なる極性の接続端子が隣り合うように交互に配設された電池モジュールであって、
前記第１の電池セルは、前記接続端子が設けられる端子面に第１の凸部を有し、
前記第２の電池セルは、前記接続端子が設けられる端子面に前記第１の凸部と前記電池セルの並設方向に対向しない第２の凸部を有し、
前記第１の電池ホルダは、前記第２の電池セルを保持させようとした場合に前記第２の凸部と当接して前記第２の電池セルの収容を抑制する位置に第１の突起部を有し、
前記第２の電池ホルダは、前記第１の電池セルを保持させようとした場合に前記第１の凸部と当接して前記第１の電池セルの収容を抑制する位置に第２の突起部を有することを特徴とする電池モジュール。
【請求項６】
前記第１の凸部及び前記第２の凸部は、前記第１の電池セル及び前記第２の電池セルの注液口に設けられることを特徴とする請求項４又は請求項５に記載の電池モジュール。
【請求項７】
前記複数の電池体は、隣り合う接続端子の極性が互いに同一となるように並設され、隣り合う前記電池体の異なる極性の接続端子同士が前記バスバーによって接続されることを特徴とする請求項１〜請求項３のうちいずれか一項に記載の電池モジュール。
【請求項８】
前記指標は、隣り合う前記電池体の異なる極性の接続端子を接続するバスバーをガイドする壁部材であり、前記壁部材に沿って前記バスバーが設けられることを特徴とする請求項７に記載の電池モジュール
【手続補正２】
【補正対象書類名】明細書
【補正対象項目名】０００６
【補正方法】変更
【補正の内容】
【０００６】
上記課題を解決する電池モジュールは、電池ホルダと、該電池ホルダに保持される電池セルとからなる電池体を複数有する電池モジュールであって、前記複数の電池体は、並設され、隣り合う電池体の接続端子同士がバスバーで接続されて前記複数の電池体が直列接続され、前記電池ホルダは、第１の電池ホルダと第２の電池ホルダとを有し、前記電池セルは、前記第１の電池ホルダに保持される第１の電池セルと前記第２の電池ホルダに保持される第２の電池セルとを有し、前記第１の電池ホルダと前記第１の電池セルとからなる第１の電池体と、前記第２の電池ホルダと前記第２の電池セルとからなる第２の電池体とが、前記第１の電池ホルダと前記第２の電池ホルダとが同じ向きとなるように交互に配設され、前記第１の電池ホルダ及び第２の電池ホルダは、前記複数の電池体の並設方向に隣り合うバスバーの間に位置する部分にバスバーの接続を抑止するための指標を有することを要旨とする。
【手続補正３】
【補正対象書類名】明細書
【補正対象項目名】００１０
【補正方法】変更
【補正の内容】
【００１０】
上記電池モジュールについて、前記複数の電池体は、異なる極性の接続端子が隣り合うように並設され、前記電池ホルダは、第１の電池ホルダと第２の電池ホルダとを有し、前記電池セルは、第１の電池ホルダに保持される第１の電池セルと前記第２の電池ホルダに保持される第２の電池セルとを有し、前記第１の電池ホルダと前記第１の電池セルとからなる第１の電池体と、前記第２の電池ホルダと前記第２の電池セルとからなる第２の電池体とが交互に配設され、前記第１の電池セルは、前記接続端子が設けられる端子面に第１の凸部を有し、前記第２の電池セルは、前記接続端子が設けられる端子面に前記第１の凸部と前記電池セルの並設方向に対向しない第２の凸部を有し、前記第１の電池ホルダは、前記第１の電池セルが設けられる側に向かって突出し、かつ、前記第２の電池セルを保持させようとした場合に前記第２の凸部と当接して前記第２の電池セルの収容を抑制する位置に突出する第１の突起部を有し、前記第２の電池ホルダは、前記第２の電池セルが設けられる側に向かって突出し、かつ、前記第１の電池セルを保持させようとした場合に前記第１の凸部と当接して前記第１の電池セルの収容を抑制する位置に突出する第２の突起部を有することが好ましい。
【手続補正４】
【補正対象書類名】明細書
【補正対象項目名】００１２
【補正方法】変更
【補正の内容】
【００１２】
上記課題を解決する電池モジュールは、第１の電池ホルダと該第１の電池ホルダに保持された第１の電池セルとからなる第１の電池体と、第２の電池ホルダと該第２の電池ホルダに保持された第２の電池セルとからなる第２の電池体とが異なる極性の接続端子が隣り合うように交互に配設された電池モジュールであって、前記第１の電池セルは、前記接続端子が設けられる端子面に第１の凸部を有し、前記第２の電池セルは、前記接続端子が設けられる端子面に前記第１の凸部と前記電池セルの並設方向に対向しない第２の凸部を有し、前記第１の電池ホルダは、前記第２の電池セルを保持させようとした場合に前記第２の凸部と当接して前記第２の電池セルの収容を抑制する位置に第１の突起部を有し、前記第２の電池ホルダは、前記第１の電池セルを保持させようとした場合に前記第１の凸部と当接して前記第１の電池セルの収容を抑制する位置に第２の突起部を有することを要旨とする。
【手続補正５】
【補正対象書類名】明細書
【補正対象項目名】００１４
【補正方法】変更
【補正の内容】
【００１４】
上記電池モジュールについて前記第１の凸部及び前記第２の凸部は、前記第１の電池セル及び前記第２の電池セルの注液口に設けられることが好ましい。
これによれば、注液口に設けられる部材を第１の凸部及び第２の凸部として兼用することができる。このため、第１の電池セル及び第２の電池セルに別途第１の凸部及び第２の凸部を設ける必要がない。
上記電池モジュールについて、前記複数の電池体は、隣り合う接続端子の極性が互いに同一となるように並設され、隣り合う前記電池体の異なる極性の接続端子同士が前記バスバーによって接続されることが好ましい。
上記電池モジュールについて、前記指標は、隣り合う前記電池体の異なる極性の接続端子を接続するバスバーをガイドする壁部材であり、前記壁部材に沿って前記バスバーが設けられることが好ましい。
【手続補正６】
【補正対象書類名】明細書
【補正対象項目名】００６８
【補正方法】削除
【補正の内容】
【手続補正７】
【補正対象書類名】明細書
【補正対象項目名】００６９
【補正方法】削除
【補正の内容】